(57)【特許請求の範囲】
【請求項１】
冷蔵庫の収容棚に収納できる直径を有するほぼ円筒状のガラス容器と、
このガラス容器の上部開口部の縁を包囲するように、ガラス容器の上部に着脱自在にスナップ嵌合される弾性合成樹脂製の下キャップと、
この下キャップより硬質の弾性合成樹脂製で、下キャップの上部に着脱自在にスナップ嵌合され、前記ガラス容器の上部開口部を覆う上キャップとを具備し、
前記ガラス容器は、上部外周に環状の係合凹所を有し、
前記下キャップは、前記ガラス容器の上端から係合凹所までの外周を包囲し、係合凹所の外周に沿うように下端部に向かって徐々にその内径を縮小した環状の把持部と、
この把持部の上端部から内側へ環状に延出して前記ガラス容器の上端面に当接する当接リブと、
前記把持部の上方に連続して環状に延出し、内周下部で前記当接リブの上に位置して環状の係合溝を有する嵌合部とを有し、
前記上キャップは、前記下キャップの嵌合部の内側に嵌合し、下端部の外周に前記係合溝にスナップ係合する環状の係合突条を有する環状の内嵌部と、
この内嵌部の上部に、前記下キャップの上端に当接する外周突出段部を介して連続し、前記ガラス容器の上部開口部をほぼ球形状に覆う被覆部と、
この被覆部の頂部に到らない中間高さ位置に内方端が開放し、前記ガラス容器の軸心に対して１０°ないし８０°の角度で内方端から外側へ突出した注水筒部の先端に外方端が開放する注水口と、
前記注水口から周方向にほぼ１８０°離れた位置において内外に貫通する通気口とを有することを特徴とする冷水筒。
【請求項２】
前記当接リブは、前記ガラス容器の開口部断面積の１０％を超えない断面積で開口部の内側に張り出していることを特徴とする請求項１に記載の冷水筒。
【請求項３】
前記注水口の内方端付近に、注水口を横断するように、横断バーが設けられていることを特徴とする請求項１に記載の冷水筒。
【発明の詳細な説明】
【０００１】
【発明の属する技術分野】
本発明は、冷蔵庫のドアポケットに収納して保管する冷水筒に関し、特にキャップを取り外した状態での開口部直径が比較的大きく、ガラス容器内の洗浄が容易なものに関する。
【０００２】
【従来の技術】
冷蔵庫のドアポケットに収納して保管できる冷水筒は、一般に直径９０mmが最大径である。そして、従来の冷水筒としては、ガラス容器に下キャップと上キャップとを嵌合させて成り、下キャップに対して上キャップを回転させることにより注水口を開閉操作するものが知られている。このような冷水筒では、開閉機構との関係で、下キャップの注水口がガラス容器の開口より極端に小さく構成されている。従って、従来の冷水筒においては、上キャップを取り外して下キャップをガラス容器に装着したままでガラス容器の内側を洗浄することができず、洗浄作業に手間がかかる難点がある。
【０００３】
【発明が解決しようとする課題】
本発明は、上キャップを取り外した状態で、下キャップの開口断面積が比較的大きく、従って、ガラス容器の内側まで指を挿入して比較的簡単にガラス容器の内側を洗浄することができる冷水筒を提供することを目的としている。
【０００４】
【課題を解決するための手段】
本発明においては、上記課題を解決するため、冷蔵庫のドアポケットに収納できる直径を有するほぼ円筒状のガラス容器１と、このガラス容器１の上部開口部１ｂの縁を包囲するように、ガラス容器１の上部に着脱自在にスナップ嵌合される弾性合成樹脂製の下キャップ２と、この下キャップ２より硬質の弾性合成樹脂製で、下キャップ２の上部に着脱自在にスナップ嵌合され、ガラス容器１の上部開口部１ｂを覆う上キャップ３とを具備させて冷水筒を構成する。ガラス容器１には、上部外周に環状の係合凹所１ａを設ける。
【０００５】
下キャップ２には、ガラス容器１の上端から係合凹所１ａまでの外周を包囲し、係合凹所１ａの外周に沿うように下端部に向かって徐々にその内径を縮小した環状の把持部２ａと、この把持部２ａの上端部から内側へ環状に延出してガラス容器１の上端面に当接する当接リブ２ｂと、把持部２ａの上方に連続して環状に延出し、内周下部で当接リブ２ｂの上に位置して環状の係合溝２ｄを有する嵌合部２ｃとを設ける。当接リブ２ｂは、ガラス容器の上端面に載るだけでよいから、ガラス容器の開口内へ大きく張り出さず、開口部１ｂの断面積をほとんど縮小しない。
【０００６】
上キャップ３には、下キャップ２の嵌合部２ｃの内側に嵌合し、下端部の外周に、係合溝２ｄにスナップ係合する環状の係合突条３ｆを有する環状の内嵌部３ａと、この内嵌部３ａの上部に、下キャップ２の上端に当接する外周突出段部３ｇを介して連続し、ガラス容器１の上部開口部１ｂをほぼ半球形状に覆う被覆部３ｂと、この被覆部３ｂの頂部に到らない中間高さ位置に内方端が開放し、ガラス容器１の軸心に対して１０°ないし８０°の角度で内方端から外側へ突出した注水筒部３ｃの先端に外方端が開放する注水口３ｄと、注水口３ｄから周方向にほぼ１８０°離れた位置において内外に貫通する通気口３ｅとを設ける。従って、注水口３ｄは常時開放している。しかし、注水筒部３ｃがガラス容器１の軸心に対して所定の角度傾いて突出しているから、異物が侵入しにくく、またガラス容器１内の水を残さずに、水切りよく容易に注出できる。
【０００７】
当接リブ２ｂは、ガラス容器１の開口部１ｂの断面積の１０％を超えない範囲で開口部１ｂの内側に張り出させても大きく洗浄作業を阻害することがない。
【０００８】
注水口の内方端付近に、注水口３ｄを横断するように、横断バー３ｈを設けた場合には、内部にティーバッグを収容したときに、それが注水口３ｄにはまって注水を阻害するのを防止できるし、注水口３ｄからの異物の侵入を阻止できる利点がある。
【０００９】
【発明の実施の形態】
図面を参照して本発明の実施の一形態を説明する。図１は冷水筒の一部を切り欠いた正面図、図２は冷水筒の正面図、図３は図１におけるIII矢視図、図４は上キャップの側面図である。
【００１０】
図において、ガラス容器１は、冷蔵庫のドアポケットに収納できる直径を有し、上部が若干くびれたほぼ円筒状である。このガラス容器１の上部外周には、環状の係合凹所１ａを有する。
【００１１】
ガラス容器１の上部には、下キャップ２が着脱自在にスナップ嵌合して取り付けられる。下キャップ２は、ガラス容器１に対して水漏れを生じない水密な嵌合を得るために比較的柔軟な弾性合成樹脂で構成され、ガラス容器１の上部の開口部１ｂの縁を包囲する。下キャップ２は、ガラス容器１に嵌合する把持部２ａと、ガラス容器１に対する上下位置を定める当接リブ２ｂと、上キャップ３を嵌合させる嵌合部２ｃとを有する。把持部２ａは、ガラス容器１の上端から係合凹所１ａまでの外周を包囲し、係合凹所１ａの外周に沿うように下端部に向かって徐々にその内径を縮小した環状を成している。当接リブ２ｂは、把持部２ａの上端部から内側へほぼ水平に環状に延出してガラス容器１の上端面に当接する。当接リブ２ｂは、ガラス容器１の上端面に載るだけでよいから、ガラス容器１の開口１ｂ内へ大きく張り出さず、開口１ｂの断面積をほとんど縮小しない。従って、ガラス容器１内の洗浄が容易である。当接リブ２ｂは、ガラス容器１の開口部断面積の１０％を超えない範囲で開口部１ｂの内側に張り出させても洗浄作業を大きく阻害することがない。嵌合部２ｃは、把持部２ａの上方に連続して環状に延出し、内周下部の当接リブ２ｂ直上に位置して環状の係合溝２ｄを有する。
【００１２】
下キャップ２の上部には、ガラス容器１の上部開口部１ｂを塞ぐ上キャップ３が着脱自在にスナップ嵌合して取り付けられる。上キャップ３は、下キャップ２より硬質の弾性合成樹脂から成り、下キャップ２に嵌合する内嵌部３ａと、開口部１ｂを覆う被覆部３ｂと、注水筒部３ｃを貫通する注水口３ｄと、通気口３ｅとを具備する。内嵌部３ａは環状で、下キャップ２の嵌合部２ｃの内側に嵌合し、その下端部の外周に、係合溝２ｄにスナップ係合する環状の係合突条３ｆを有する。被覆部３ｂは、内嵌部３ａの上部に位置する外周突出段部３ｇを介して、その上方に連続し、開口部１ｂをほぼ半球形状に覆っている。突出段部３ｇは、下キャップ２の上端に当接して下キャップ２に対する上下位置を定める。注水筒部３ｃは、被覆部３ｂの頂部に到らない中間高さ位置からガラス容器１の軸心に対してほぼ６０°の角度で上向きに突出している。注水口３ｄは、この注水筒部３ｃを貫通して外方に開放している。注水筒部３ｃの傾斜により、ガラス容器１内の水を残さずに容易に注出できる。注水口３ｄは、ガラス容器１の軸心に対して１０°ないし８０°の角度で傾斜角度を選択することができる。図４に示すように、通気口３ｅは、注水口３ｄから周方向にほぼ１８０°離れた位置において内嵌部３ａの下縁から上方に切り込んで形成されており、被覆部３ｂの内外に貫通している。
【００１３】
注水口３ｄの内方端付近には、注水口３ｄを横断するように、横断バー３ｈが設けられている。横断バー３ｈは、ガラス容器１内にティーバッグを収容したときに、注水時にそれが注水口３ｄにはまって注水を阻害するのを防止し、また注水口３ｄからの異物の侵入を阻止する。従って、注水口３ｄが常時開放していても大きな支障がない。
【００１４】
【発明の効果】
以上のように、本発明においては、上キャップ３を取り外した状態で、下キャップ２の開口断面積が比較的大きく、従って、ガラス容器１の内側まで指を挿入して比較的簡単にガラス容器１の内側を洗浄できる冷水筒を提供する。
【００１５】
横断バー３ｈは、ガラス容器１内にティーバッグを収容したときに、注水時にそれが注水口３ｄにはまって注水を阻害するのを防止し、また注水口３ｄからの異物の侵入を阻止する効果がある。
【図面の簡単な説明】
【図１】冷水筒の一部を切り欠いた正面図である。
【図２】冷水筒の正面図である。
【図３】図１におけるIII矢視図である。
【図４】上キャップの側面図である。
【符号の説明】
１    ガラス容器
１ａ  係合凹所
１ｂ  開口部
２    下キャップ
２ａ  把持部
２ｂ  当接リブ
２ｃ  嵌合部
２ｄ  係合溝
３    上キャップ
３ａ  内嵌部
３ｂ  被覆部
３ｃ  注水筒部
３ｄ  注水口
３ｅ  通気口
３ｆ  係合突条
３ｇ  突出段部
３ｈ  横断バー
【図１】
0003865331.tif 000002
【図２】
0003865331.tif 000003
【図３】
0003865331.tif 000004
【図４】
0003865331.tif 000005